【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
少なくとも、第１の色材及び第２の色材の、２つの色材を含有するインクジェット用インクであって、
前記第１の色材が、下記一般式（Ｉ）で表される化合物であり、前記第２の色材が、下記一般式（II）で表される化合物及び／又は下記一般式（III）で表される化合物であり、前記第２の色材のインク中における含有量（質量％）が、前記第１の色材のインク中における含有量（質量％）に対して、質量比率で、０．００２倍以上０．５０倍以下であることを特徴とするインクジェット用インク。
2009293016.tif 000001
（一般式（Ｉ）中、Ｒ1、Ｒ2、Ｙ1、及びＹ2はそれぞれ独立に、一価の基であり、Ｘ1及びＸ2はそれぞれ独立に、ハメットのσｐ値が０．２０以上の電子吸引性基であり、Ｚ1及びＺ2はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍ1は、水素原子、アルカリ金属、アンモニウム、又は有機アンモニウムである。）
2009293016.tif 000002
（一般式（II）中、Ｒ3及びＹ3はそれぞれ独立に、一価の基であり、Ｘ3はハメットのσｐ値が０．２０以上の電子吸引性基であり、Ｚ3は、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基である。）
2009293016.tif 000003
（一般式（III）中、Ｒ4及びＹ4はそれぞれ独立に、一価の基であり、Ｘ4はハメットのσｐ値が０．２０以上の電子吸引性基であり、Ｚ4及びＺ5はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍ2は、水素原子、アルカリ金属、アンモニウム、又は有機アンモニウムである。）
【請求項２】
前記一般式（Ｉ）で表される化合物が、下記一般式（IV）で表される化合物であり、前記一般式（II）で表される化合物が、下記一般式（Ｖ）で表される化合物であり、前記一般式（III）で表される化合物が、下記一般式（VI）で表される化合物である請求項１に記載のインクジェット用インク。
2009293016.tif 000004
（一般式（IV）中、Ｒ5、Ｒ6、Ｙ1及びＹ2はそれぞれ独立に、一価の基であり、Ｘ1及びＸ2はそれぞれ独立に、ハメットのσｐ値が０．２０以上の電子吸引性基であり、ｎは１以上の整数であり、Ｍ1は、水素原子、アルカリ金属、アンモニウム、又は有機アンモニウムである。）
2009293016.tif 000005
（一般式（Ｖ）中、Ｒ7及びＹ3はそれぞれ独立に、一価の基であり、Ｘ3はハメットのσｐ値が０．２０以上の電子吸引性基であり、ｎは１以上の整数である。）
2009293016.tif 000006
（一般式（VI）中、Ｒ8及びＹ4はそれぞれ独立に、一価の基であり、Ｘ4はハメットのσｐ値が０．２０以上の電子吸引性基であり、ｎは１以上の整数であり、Ｚは、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍ2は水素原子、アルカリ金属、アンモニウム、又は有機アンモニウムである。）
【請求項３】
前記第１の色材の含有量（質量％）が、インク全質量を基準として、１．０質量％以上８．０質量％以下である請求項１又は２に記載のインクジェット用インク。
【請求項４】
前記第２の色材の含有量（質量％）が、インク全質量を基準として、０．００４質量％以上３．５質量％以下である請求項１乃至３のいずれか１項に記載のインクジェット用インク。
【請求項５】
前記第２の色材のインク中における含有量（質量％）が、前記第１の色材のインク中における含有量（質量％）に対して、質量比率で、０．００２倍以上０．４３倍以下である請求項１乃至４のいずれか１項に記載のインクジェット用インク。
【請求項６】
前記第２の色材のインク中における含有量（質量％）が、前記第１の色材のインク中における含有量（質量％）に対して、質量比率で、０．００２倍以上０．１２倍以下である請求項１乃至５のいずれか１項に記載のインクジェット用インク。
【請求項７】
インクをインクジェット方式で吐出して記録媒体に記録を行うインクジェット記録方法において、前記インクが、請求項１乃至６のいずれか１項に記載のインクジェット用インクであることを特徴とするインクジェット記録方法。
【請求項８】
インクを収容してなるインク収容部を備えたインクカートリッジにおいて、前記インクが、請求項１乃至６のいずれか１項に記載のインクジェット用インクであることを特徴とするインクカートリッジ。
【請求項９】
インクを収容してなるインク収容部と、インクを吐出するための記録ヘッドとを備えた記録ユニットにおいて、前記インクが、請求項１乃至６のいずれか１項に記載のインクジェット用インクであることを特徴とする記録ユニット。
【請求項１０】
インクを収容してなるインク収容部と、インクを吐出するための記録ヘッドとを備えたインクジェット記録装置において、前記インクが、請求項１乃至６のいずれか１項に記載のインクジェット用インクであることを特徴とするインクジェット記録装置。
【手続補正２】
【補正対象書類名】明細書
【補正対象項目名】００１０
【補正方法】変更
【補正の内容】
【００１０】
上記の目的は、以下の本発明によって達成される。すなわち、本発明にかかるインクジェット用インクは、少なくとも、第１の色材及び第２の色材の、２つの色材を含有するインクジェット用インクであって、前記第１の色材が、下記一般式（Ｉ）で表される化合物であり、前記第２の色材が、下記一般式（II）で表される化合物及び／又は下記一般式（III）で表される化合物であり、前記第２の色材のインク中における含有量（質量％）が、前記第１の色材のインク中における含有量（質量％）に対して、質量比率で、０．００２倍以上０．５０倍以下であることを特徴とする。
【手続補正３】
【補正対象書類名】明細書
【補正対象項目名】０１５４
【補正方法】変更
【補正の内容】
【０１５４】
〔色材の含有量〕
インク全質量を基準とした、第２の色材の含有量（質量％）は、第１の色材の含有量（質量％）に対して、質量比率で、（第２の色材／第１の色材）＝０．００２倍以上０．５０倍以下であることが必要である。より具体的には、｛〔一般式（II）、一般式（III）、一般式（Ｖ）、及び一般式（VI）の化合物の含有量〕／〔一般式（Ｉ）、及び一般式（IV）の化合物の含有量〕｝＝０．００２倍以上０．５０倍以下であることが必要である。質量比率が０．００２倍未満であると、インクの保存安定性が得られず、０．５０倍を超えると、記録耐久性が得られない。色材の含有量の質量比率を上記範囲となるように構成することで、第１の色材が有する耐光性と、第２の色材が有する耐光性との組み合わせから予測される性能を上回る高いレベルの耐光性を有する画像を形成することができる。また、好ましい色調の画像が得られ、インクとしての信頼性も満足できる。
【手続補正４】
【補正対象書類名】明細書
【補正対象項目名】０１５９
【補正方法】変更
【補正の内容】
【０１５９】
本発明においてはさらに、第２の色材の含有量（質量％）は、第１の色材の含有量（質量％）に対して、質量比率で、（第２の色材／第１の色材）＝０．００２倍以上０．４３倍以下であることが好ましい。色材の含有量の質量比率を上記範囲となるように構成することで、第１の色材が有する耐光性と第２の色材が有する耐光性との組み合わせから予測される性能をはるかに上回る高いレベルの耐光性を有する画像を形成することができる。また、より好ましい色調の画像を得ることができる。特に、第２の色材の含有量（質量％）は、第１の色材の含有量（質量％）に対して、質量比率で、（第２の色材／第１の色材）＝０．００２倍以上０．２５倍以下、中でも特に０．００２倍以上０．１２倍以下であることが好ましい。色材の含有量の質量比率をこの範囲とすることで、上記の含有量の質量比率においても特に高いレベルの耐光性を有する画像を形成することができる。さらには特に好ましい色調の画像を得ることができ、加えて、インクとしての信頼性も十分に満足することが可能となる。